(57)【要約】【課題】インプラント用紫外線処理装置に用いられるインプラント・スタンドにおいて、インプラントの紫外線処理に先立つ、オートクレーブでの高温高圧の水蒸気による殺菌処理後に、インプラント支持体のインプラント支持孔内に水蒸気の凝縮によって水滴が残留することを防止する構造を提供することである。【解決手段】インプラント・スタンドは、底板と、該底板の上に設けられたインプラント支持体とからなり、前記インプラント支持体にはインプラント支持孔が上下方向に貫通して設けられ、該インプラント支持孔の下端開口部が、前記底板との間に間隙を有することを特徴とする。【選択図】  図２
2017164418.tif 000002
【特許請求の範囲】
【請求項１】
インプラント用紫外線処理装置に用いられるインプラント・スタンドであって、
前記インプラント・スタンドは、底板と、該底板の上に設けられたインプラント支持体とからなり、
前記インプラント支持体にはインプラント支持孔が上下方向に貫通して設けられ、該インプラント支持孔の下端開口部が、前記底板との間に間隙を有することを特徴とするインプラント・スタンド。
【請求項２】
前記インプラント支持孔は、大径部とその下方の小径部とからなり、これらの間の段差部がインプラントの係止部とされていることを特徴とする請求項１に記載のインプラント・スタンド。
【請求項３】
前記インプラント支持孔は、インプラントが該インプラント支持孔を貫通するように、その直径が一定のままで前記インプラント支持体を貫通していることを特徴とする請求項１に記載のインプラント・スタンド。
【請求項４】
前記底板と前記インプラント支持体とが一体成形されていることを特徴とする請求項１〜３のいずれかに記載のインプラント・スタンド。
【発明の詳細な説明】
【技術分野】
【０００１】
この発明は、インプラントに紫外線を照射してその表面に付着した有機汚染物除去を行うインプラント用紫外線照射装置に用いられるインプラント・スタンドに関するものである。
【背景技術】
【０００２】
インプラント、特にデンタルインプラントは失われた歯の機能を代用させることを目的として顎骨に埋め込まれるものであり、そのデンタルインプラント手術においては、デンタルインプラントが十分に骨と結合（オッセオインテグレーション）することが肝要である。そのために、デンタルインプラントに付着した有機汚染物を除去するためのインプラント用紫外線照射装置が、例えば、特開２０１２−１５７４１３号公報（特許文献１）で提案されている。
【０００３】
図５に、上記引用文献１に開示されたインプラント用紫外線照射装置が示されている。
このインプラント用紫外線照射装置は、開閉扉１１を有する筐体１０と、該筐体１０内に配設された一対の紫外線ランプ１２とを有し、前記筐体１０内には開閉扉１１と一体化された引き出し可能なキャリッジ１３が配設され、このキャリッジ１３上にはインプラント・スタンド１４が載置されている。
そして、このインプラント・スタンド１４は、紫外線処理にあたってインプラントを支持して筐体１０内に出し入れするものであって、この従来技術においては、前記キャリッジ４に着脱自在に載置される載置台１５と、この載置台１５に着脱自在に載置されるインプラント支持体１６とからなるものが開示されている。
【０００４】
前記載置台１５には、把手１７が設けられており、インプラント支持体１６上に処理対象の複数本のインプラント２０、２０が、前記紫外線ランプ１２の長手方向に沿うように直線状にセットされている。
このインプラント用紫外線照射装置では、インプラント２０がセットされたインプラント・スタンド１４がキャリッジ１３上に載置された状態で、開閉扉１１が閉じられてキャリッジ１３が筐体１０内に収容されたとき、インプラント・スタンド１４上に直線状に配設されたインプラント２０は一対の紫外線ランプ１２，１２間に位置して、これと対向配置されるものである。
インプラント２０は、紫外線ランプ１２からの、例えば、１７２ｎｍや、２５４ｎｍの紫外線が所定の時間、照射される。
【０００５】
ところで、このようなインプラント用紫外線照射装置に用いられるインプラント・スタンドは、通常、インプラントの紫外線処理に先立って、オートクレーブによって高温高圧の水蒸気によって殺菌処理される。
そして、殺菌処理後にこれを冷却・乾燥して、インプラントをセットし処理装置内に挿入される。
ところで、この冷却・乾燥時にインプラント・スタンドに水蒸気が凝縮して水滴となって付着してしまうことがあり、水滴に雑菌が繁殖するなどの不具合があって、清潔域の維持が困難になることがある。
特に、インプラント・スタンドのインプラント支持孔には水滴が溜まりやすく、水滴が溜まった場合はその除去が難しく、乾燥しようとしてもなかなか困難であって不十分になる恐れがある。
【先行技術文献】
【特許文献】
【０００６】
【特許文献１】特開２０１２−１５７４１３号公報
【発明の概要】
【発明が解決しようとする課題】
【０００７】
この発明が解決しようとする課題は、インプラント用紫外線処理装置に用いられるインプラント・スタンドにおいて、紫外線洗浄に先立つ高温高圧の水蒸気による殺菌処理後に、インプラント・スタンドに水滴が残留しないようにして清潔域の維持を容易にする構造を提供することである。
【課題を解決するための手段】
【０００８】
上記課題を解決するために、この発明に係るインプラント用紫外線照射装置に用いられるインプラント・スタンドは、底板と、該底板の上に設けられたインプラント支持体とからなり、前記インプラント支持体にはインプラント支持孔が上下方向に貫通して設けられ、該インプラント支持孔の下端開口部が、前記底板との間に間隙を有することを特徴とする。
また、前記インプラント支持孔は、大径部とその下方の小径部とからなり、これらの間の段差部がインプラントの係止部とされていることを特徴とする。
また、前記インプラント支持孔は、インプラントが該インプラント支持孔を貫通するように、その直径が一定のままで前記インプラント支持体を貫通していることを特徴とする。
また、前記底板と前記インプラント支持体とが一体成形されていることを特徴とする。
【発明の効果】
【０００９】
本発明のインプラント・スタンドによれば、インプラント支持体に設けたインプラント支持孔が、これを貫通し、その下端開口部が前記底板との間に間隙を有することから、オートクレーブによる水蒸気での殺菌処理後に、凝縮した水滴がインプラント支持孔から速やかに下方に滴下除去され、該支持孔内に残留することがない。
これにより、インプラント・スタンドの清潔域の維持が容易かつ完全になるという効果を奏するものである。
また、底板とインプラント支持体を一体構造とすることで、インプラント・スタンドのどこにも水滴が残るような箇所が形成されない。
【図面の簡単な説明】
【００１０】
【図１】本発明のインプラント・スタンドの斜視図。
【図２】図１のＸ矢視正面図（Ａ）、上面図（Ｂ）、側面図（Ｃ）。
【図３】図２のＡ−Ａ断面図（Ａ）、Ｂ−Ｂ断面図（Ｂ）。
【図４】他の実施例の正面図。
【図５】従来のインプラント用紫外線照射装置の断面図。
【発明を実施するための形態】
【００１１】
図１に示されるように、インプラント用紫外線照射装置に用いられる本発明のインプラント・スタンドでは、インプラント・スタンド１は、底板２と、その上に立設したインプラント支持体３とからなる。また、底板２には一対の把手５，５が設けられていて、当該把手５によりインプラント・スタンド１の搬送等を行うことで、清潔域維持の手段としている。
図２にも示されるように、インプラント支持体３には、複数のインプラント支持孔４，４が設けられている。このインプラント支持孔４は、図２（Ａ）および図３（Ａ）（Ｂ）で示されるように、インプラント支持体３を上下方向に貫通していて、その下端開口部４ａは、底板２との間に間隙Ｓが形成されている。
【００１２】
また、図３に示されるように、このインプラント支持孔４は、上下方向の下方において、その直径が小径とされていて、大径部４ｂとその下方の小径部４ｃとからなり、それらの間には段差部４ｄが形成されている。図２（Ａ）に示されるように、この段差部４ｄは、インプラント６が当該インプラント支持孔４に挿入されたとき、その係止部として機能する。
より具体的には、インプラント６は、インプラント本体６ａとインプラントドライバー６ｂとを備えていて、インプラント６がインプラント支持孔４に挿入されたとき、インプラント本体６ａが大径部４ｂに挿入され、インプラントドライバー６ｂが小径部に挿入されて、インプラント本体６ａが、段差部４ｄに当接係止される。
なお、このインプラントドライバー６ｂは、紫外線処理後にインプラントが人体に装着される際には取り外されて、インプラント本体６ａのみが骨に装着されるものである。
【００１３】
インプラント・スタンド１を構成する底板２とインプラント支持体３は、溶接等によって一体化することもできるが、切削加工による削り出しによって一体構造とすることがより好適である。これにより、底板２とインプラント・スタンド３との間に隙間が形成されることがないので、水滴の侵入を未然に防止できる。
【００１４】
以下、本発明のインプラント・スタンド１の一実施形態を述べると以下の通りである。
＜底板＞
寸法：１３０ｍｍ×２５ｍｍ×４ｍｍ
材質：ステンレス合金  表面を抗菌仕上げするのが好適
＜インプラント支持体＞
寸法：９０ｍｍ×１８ｍｍ×９ｍｍ
材質：ステンレス合金  表面を抗菌仕上げするのが好適
＜インプラント支持孔＞
大径部：φ２．５ｍｍ  深さ８ｍｍ
小径部：φ１ｍｍ  インプラント支持体を底板側まで貫通
【００１５】
図４に他の実施例が示されていて、インプラント支持孔４は、一定の直径で貫通していて、インプラント６のインプラントドライバー６ｂがこのインプラント支持孔４に挿入されたとき、このインプラント支持孔４を貫通して、その下端が底板２に当接することで係止されるものである。
インプラントの形状は各種多様なものがあるのが現状で、インプラント本体やインプラントドラーバーも種々の形状のものが使用されている現状に照らして、インプラント支持体も、それに応じて、図１〜３の形態や、図４の形態を使い分けることで対応できる。
【００１６】
以上説明したように、インプラント用紫外線照射装置に用いられる本発明のインプラント・スタンドにおいては、インプラント支持体に形成されるインプラント支持孔が、これを貫通して形成され、その下端が開放されていることから、紫外線処理に先立つオートクレーブでの殺菌処理での水蒸気の凝縮による水滴が、インプラント支持孔からいち早く除去されて残留することがない。これにより、インプラント・スタンドを清潔域として維持することが可能となるという効果を奏するものである。
【符号の説明】
【００１７】
１      インプラント・スタンド
２      底板
３      インプラント支持体
４      インプラント支持孔
４ａ    下端開口部
４ｂ    大径部
４ｃ    小径部
４ｄ    段差部
５      把手
６    インプラント
６ａ  インプラント本体
６ｂ  インプラントドライバー
Ｓ      間隙
【図１】
2017164418.tif 000003
【図２】
2017164418.tif 000004
【図３】
2017164418.tif 000005
【図４】
2017164418.tif 000006
【図５】
2017164418.tif 000007